(57)【要約】
【課題】本考案は、視覚障害者が歩道を歩く際の助けと成る歩道板に取り付けられる鋲であって、この鋲が火災等で焼失する時、有害なガスの発生を防止することや避難路の妨げとなる煙が発生しない材質を考える必要がある。その為には頭部にセラミック部材を取り付け、しかもこのセラミック部材が長期間にわたって摩耗することなく、さらには健常者の歩行や車の運転者に認識されやすい鋲の提供。
【解決手段】鋲の頭部１に形成した凹部にセラミックスから成るセラミック部材４を取り付けしたものであり、このセラミック部材４はセラミックス素地を焼き締めたもの又は、表面に釉薬を施して焼成するか、フリットにてガラス層を成形したものをスプレーガンなどを用いて均一に塗布しこれを焼成したものなどの上面に乱反射層１１や凹凸部１４を形成している。
【選択図】　　図５
0003099431.tif 000002
【実用新案登録請求の範囲】
【請求項１】
歩道等の表面、または歩道板の表面に取り付けられる鋲において、鋲は頭部と脚からなり、頭部の上面外周はなだらかなテーパー面を有すと共に中央には凹部を形成し、そして凹部には請求項２、又は請求項４記載のセラミック部材とその他のセラミックスを部材としたセラミック部材を鋲に嵌めこんだことを特徴とするセラミック部材を備えた鋲。
【請求項２】
セラミック部材の上面にはフリットにてガラス層を形成したものをスプレーガンなどを用いて均一に塗布し、そしてガラスビーズ等の乱反射材にて乱反射層を形成し、この上に同じくフリットにてガラス層を形成したものを塗布し、これを焼成したことを特徴とするセラミック部材。
【請求項３】
歩道等の表面、または歩道板の表面に取り付けられる鋲において、鋲は頭部と脚からなり、頭部の上面外周はなだらかなテーパー面を有すと共に中央には凹部を形成し、そして凹部にはセラミック部材を嵌めこんだものであり、このセラミック部材の上面にはフリットにてガラス層を形成したものをスプレーガンなどを用いて均一に塗布し、そしてこの上にガラスビーズ等の乱反射材にて乱反射層を形成し、さらにこの上に同じくフリットにてガラス層を形成したものを塗布し、これを焼成したことを特徴とするセラミック部材を備えた鋲。
【請求項４】
セラミックスの上面に釉薬を施し焼成したこと又は、セラミックス上面にフリットにてガラス層を形成したものをスプレーガンなどを用いて均一に塗布し、そしてこの上に無機質骨材を点在するとともに、同じくフリットにてガラス層を形成したものを塗布して表面を凹凸化し、これを焼成したことを特徴とするセラミック部材。
【請求項５】
歩道等の表面、または歩道板の表面に取り付けられる鋲において、鋲は頭部と脚からなり、頭部の上面外周はなだらかなテーパー面を有すと共に中央には凹部を形成し、そして凹部にはセラミック部材を嵌めこんだものであり、このセラミック部材の上面にはフリットにてガラス層を形成したものをスプレーガンなどを用いて均一に塗布し、そしてこの上に無機質骨材を点在するとともに、同じくフリットにてガラス層を形成したものを塗布して表面を凹凸化し、これを焼成したことを特徴とするセラミック部材を備えた鋲。
【考案の詳細な説明】
【技術分野】
【０００１】
本発明は視覚障害者（盲人）が歩道を歩く際の助けとなる歩道板を構成する鋲及び該鋲に取り付けるセラミック部材に関するものである。
【背景技術】
【０００２】
歩道や駅のプラットホーム、地下道等には表面に多数の点状突起を設けている視覚障害者用歩道板が敷設されている。この視覚障害者用歩道板は盲人や弱視者が安全に歩くことが出来るように、その進行方向や停止位置がわかるようになっている。しかし、弱視者が安全に歩く為には色彩のコントラストがはっきりした色をそれに当てはめなければいけない。つまり通路面と鋲のある場所との識別が出来る様にしなければならない。しかしながら、それは金属自体では色を出せない為に従来の鋲は樹脂等を使用している。しかしその鋲は火災が発生した時に人体に有害なガスと煙を発生させる。さらに、災害にあわなくても使用しているうちに摩耗したり、変色したり、剥がれたりなどして長期間識別出来る色味を保ち続けるのは困難なのが現状である。
【０００３】
そこで、上記点状突起の部分をセラミック部材及びセラミック部材を備えた鋲を使用することにより、セラミックス本体色、又はセラミックスの釉薬の種類によって通路面との識別が可能な色を使用することが出来、健常者にとっても認識し易い。そしてこのセラミック部材及びセラミック部材を備えた鋲を使用することにより鋲が火災で焼失する時に有害なガスや、避難の妨げとなる煙が発生しない。さらこのセラミック部材が長期間にわたって摩耗することなく、健常者にとっても、認識しやすく、燃えない為に安全な歩行が確保出来るようにした鋲である。
【０００４】
したがって、この鋲が取り付けられた歩道板に沿って安全に歩行することが出来る。セラミックスの本体色やセラミックスの表面に釉薬を施し焼成した部材で矢印を形成したり、文字や記号等を描いたりして、健常者にもより解り易く、例えれば避難場所への誘導等も可能である。
【０００５】
歩道板は歩道に敷設されることで常に人が踏みつけて歩き、その為に靴底との接触圧に耐える強度が必要なことである。さらに常に靴底で踏まれることから靴底の汚れが付着するが、比較的汚れにくく、汚れが付着しても雨水などで簡単に洗い流されてしまうことも必要となる。変色したり、剥がれたりなどして長期間識別出来る色味を保ち続けるのは困難なのが現状である。しかし従来上記の鋲はこの問題が解決されていない。
【０００６】
ところで、従来の部材は点状突起に取り付けられる訳であり、部材を備えた点状突起は歩道板に固定される。又は直接コンクリート面に埋め込まれるが、歩道板が割れた場合はには点状突起も同時に破棄され、また点状突起の頭部が摩耗した場合には歩道板全体を交換しなくてはならなくなる。
【考案の開示】
【考案が解決しようとする課題】
【０００７】
このように従来の部材には上記のごとき問題がある。本発明が解決しようとする課題はこれら問題点であり、鋲が火災等で焼失する時に有害なガスや、避難の妨げとなる煙が発生しない材質で、長期間にわたって摩耗することなく、また汚れにくく、健常者等の歩行や車の光に反射して運転者に分かり易くするセラミック部材及び該セラミック部材を備えた鋲を提供する。
【０００８】
本発明の鋲は点字鋲または線状鋲を形成し、点字鋲は基本的に小さくてその頭部に１個のセラミック部材を備えている鋲であり、線状鋲とは細長い線状の頭部にセラミック部材を備えている。そして点字鋲の頭部にはセラミック部材が嵌まる凹部を形成しており、該頭部には下方へ伸びる脚が設けられている。脚を供えない鋲もあるが、脚は歩道板に埋着されて鋲が外れないように固定される。
【０００９】
そして、本発明セラミック部材は鋲の頭部に取り付けされる訳であるがセラミック部材はセラミックス表面の釉薬を施したこと又は、セラミックス上面へフリットにてガラス層を形成したものをスプレーガンなどを用いて均一に塗布したものをそれぞれ焼成されることにより、汚れが付着しにくく、しかも付着した汚れは雨水などで簡単に洗い流されるようになる。
【００１０】
２つ目は、セラミック部材が車のライトに当ってキラキラ輝くようにする表面処理であって、セラミック部材の表面（上面）には乱反射層を設ける。セラミックスの表面に釉薬を施し焼成しさらに上面にフリットにてガラス層を形成したものをスプレーガンなどを用いて均一に塗布したセラミック部材又は、セラミックス上面にフリットにてガラス層を形成したものをスプレーガンなどを用いて均一に塗布したセラミック部材のそれぞれの上面にはガラスビーズ等の乱反射材にて乱反射層を形成し、さらにこの上にフリットにてガラス層を形成したものを塗布している。すなわち、乱反射層を内部に有したフリットにてガラス層を形成している。そしてこの状態で焼成される。
【００１１】
３つ目はセラミック部材の表面を滑りにくくした処理であり、セラミックスの表面に釉薬を施し焼成し、さらに上面にフリットにてガラス層を形成したものをスプレーガンなどを用いて均一に塗布したセラミック部材又は、セラミックス上面にフリットにてガラス層を形成したものをスプレーガンなどを用いて均一に塗布したセラミック部材のそれぞれの上面には無機質骨材を点在し、この上にはフリットにてガラス層を形成したものを塗布したものであり、上記無機質骨材によって上面は凹凸化する。すなわち、無機質骨材を内部に有したフリットにてガラス層を形成している。
【００１２】
本発明はこの焼成したセラミック部材の上面を表面処理した後でさらに焼成される。以下、本発明にかかる実施例を図面に基づいて繊細に説明する。
【考案の効果】
【００１３】
本発明の鋲はその頭部にセラミック部材を供えている為に、歩道や駅のホーム等に敷設している歩道板に取着するならば該歩道板に対して、セラミックスを使用したことでセラミックス本体の色又は釉薬の種類で色を変えることも出来、その場に適した色（認識し易い色等）を提供出来、また燃えない材質であることから有害なガスや煙を発生させることもない。耐摩耗性も比較的高く、それに収縮性のない耐久性に優れた部材であるからいつでも識別し易い線状鋲や点字鋲が出来、安全上大きな効果がある。そしてセラミック部材の形状を工夫したり、複数個のセラミック部材の配列を工夫するなどして歩く方向を指示することが出来る。
【００１４】
そして本発明の鋲に使用されるセラミック部材は釉薬やフリットにてガラス層を形成したものを塗布して焼成するので、セラミック部材表面に汚れが付着しにくくなると同時に、付着した汚れは雨水などと共に流れ落ちてしまう。またセラミック部材上面にガラスビーズ等の乱反射材を敷いて焼成した乱反射層を形成するならば、該セラミック部材に車のライトが当たった場合にキラキラ輝き、歩道の位置を運転者が正しく認識することが出来る。一方セラミック部材上面に無機質骨材を点在して焼成するならば上面は凹凸化し、鋲の上に足がかかっても滑ることは無くなり安全な歩行ができる。
【考案を実施するための最良の形態】
【００１５】
図１は本発明の点字鋲を示す実施例であり、該点字鋲は頭部１と脚からなり、脚２は頭部１の中心にて下方に延びている頭部１は円盤型をなし、上面外周部に緩やかな傾斜を持ったテーパー面と成っていて、中央にはセラミック部材４が取り付けされている。そしてこのセラミック部材４は頭部１に形成した凹部に嵌まって接着され、セラミック本体の色又はセラミック上面に焼成した釉薬の種類によって色を識別できる。
【００１６】
図２は線状鋲を示している実施例である。この線状鋲の頭部６は細長い長円形をなし、上面には５箇所に凹部８、８…を形成すると共に、これら凹部８、８…にはセラミック部材４、４…が嵌まる。そして頭部外周は点字鋲と同じくテーパー面７と成っていて、底面９には２本の脚１０、１０が取り付けられている。該脚１０は凹部底から貫通して形成した穴を挿通して延びるネジに螺合している。
【００１７】
ここで、点字鋲や線状鋲の頭部材質は特に限定しないが、ステンレスなどの耐摩耗性の高い金属質が適している。セラミックスを使用したことでセラミックス本体の色又は釉薬の種類で色を変えることも出来、その場に適した色（認識し易い色等）を提供でき、また燃えない材質であることから有害なガスや煙を発生させることもない。耐摩耗性も比較的高く、それに収縮性のない耐久性に優れれた部材である。さらに、本発明ではこのセラミック部材に車のライトが当ることでキラキラ光って目立つように乱反射層を上面に形成している。
【００１８】
図３、は乱反射層１１をセラミック部材上面に形成している断面図を示しているがこの乱反射層１１は細かいガラスビーズを上面に敷いた状態で固着したものであり、固着手段としてはフリットにてガラス層を形成したものが使用される。上記ガラスビーズの量を多くして完全に敷き詰めるならば光がセラミック部材に届きにくくなり、セラミック本体の色又は釉薬の色の識別は低下する。したがってガラスビーズの量並びに敷かれる部位は用途によって適当に定める。
【００１９】
フリットにてガラス層を形成したものを、セラミック部材４の上面に均一に塗布しこの上に上記ガラスビーズを敷き、さらに上記フリットにてガラス層を形成したものと再び塗布する。すなわち、乱反射層１１はフリットにてガラス層を形成したもの１２に埋着された状態にある。
【００２０】
フリットにてガラス層を形成したものを塗布する手段は特に限定しないことにするが、一般にはスプレーガンが使用される。そして、このように上面に形成された乱反射層１１は、該セラミック部材４のセラミックス本体色又は釉薬の色をあらゆる方向へ屈曲させて乱反射し、車のライトが当った場合にキラキラ輝き、歩道の位置を運転者に認識させることが出来る。そしてセラミック部材４に乱反射層１１とフリットにてガラス層を形成したもの１２を焼成して硬化させる。
【００２１】
一方、図４はセラミック部材４の上面を滑り防止処理を施した場合の断面図であり、セラミック部材４の上面には無機質骨材１３、１３…を点在して固着している。すなわちフリットにてガラス層を形成したものをスプレーガンなどを使用して均一に塗布し、その上に上記無機質骨材１３、１３…を点在し、さらに同じフリットにてガラス層を形成したものを塗布して無機質骨材１３、１３…を被覆する。したがってとフリットにてガラス層を形成したもの１２の上面は無機質骨材１３、１３…によって凹凸部１４、１４…が形成され、この凹凸部１４、１４…は滑り防止機能を発揮する。勿論、前期実施例の場合と同じく、焼成して硬化する。
【００２２】
さらに、鋲の頭部に取り付けられたセラミック部材が靴で踏み付けられても上面に汚れが付着しにくくするには、上記セラミック部材の上面に釉薬をつけて焼成することにより釉薬の中のガラスが溶けてセラミック部材の表面が覆われる。それで汚れが付着しにくく、付着しても取れ易くなる。フリットにてガラス層を形成したものを塗布して焼成することでも同じ効果が得ることが出来る。
【００２３】
図５は、点字鋲を歩道板１５に取り付けした場合を示しているが、歩道板１５の表面１６には穴１７が設けられ、この穴１７に脚２が嵌まって取着される、穴１７には接着剤が満たされていて、穴１７に嵌まった脚２はこの接着剤１８に埋着され、接着剤１８が硬化することで固定される。
【００２４】
以上述べたように、本発明のセラミック部材はセラミック表面に釉薬またはフリットにてガラス層を形成したもの、乱反射層を形成したものであり、さらに上面を凹凸化したもので、次のような効果を得ることが出来る。
【図面の簡単な説明】
【００２５】
【図１】本発明の点字鋲。
【図２】本発明の線状鋲。
【図３】セラミック部材上面に乱反射層を形成した場合。
【図４】セラミック部材上面を凹凸化した場合。
【図５】点字鋲を歩道板に取り付けした具体例。
【符号の説明】
【００２６】
１　　頭部
２　　脚
３　　テーパー面
４　　セラミック部材
５　　底面
６　　頭面
７　　テーパー面
８　　凹部
９　　底面
１０　脚
１１　乱反射層
１２　フリットにてガラス層を形成したもの
１３　無機質骨材
１４　凹凸部
１５　歩道板
１６　表面
１７　穴
１８　接着剤
【図１】
0003099431.tif 000003
【図２】
0003099431.tif 000004
【図３】
0003099431.tif 000005
【図４】
0003099431.tif 000006
【図５】
0003099431.tif 000007
【手続補正書】
【提出日】平成15年9月16日(2003.9.16)
【手続補正１】
【補正対象書類名】実用新案登録請求の範囲
【補正対象項目名】全文
【補正方法】変更
【補正の内容】
【実用新案登録請求の範囲】
【請求項１】
歩道等の表面、または歩道板の表面に取り付けられる鋲において、鋲は頭部と脚からなり、頭部の上面外周はなだらかなテーパー面を有すと共に中央には凹部を形成し、そして凹部にセラミック部材を鋲に嵌め込んだことを特徴とするセラミック部材を備えた鋲。
【請求項２】
セラミック部材の上面にはフリットにてガラス層を形成したものをスプレーガンなどを用いて均一に塗布し、そしてガラスビーズ等の乱反射材にて乱反射層を形成し、この上に同じくフリットにてガラス層を形成したものを塗布した請求項１記載のセラミック部材を備えた鋲。
【請求項３】
歩道等の表面、または歩道板の表面に取り付けられる鋲において、鋲は頭部と脚からなり、頭部の上面外周はなだらかなテーパー面を有すと共に中央には凹部を形成し、そして凹部にはセラミック部材を嵌めこんだものであり、このセラミック部材の上面にはフリットにてガラス層を形成したものをスプレーガンなどを用いて均一に塗布し、そしてこの上にガラスビーズ等の乱反射材にて乱反射層を形成し、さらにこの上に同じくフリットにてガラス層を形成したものを塗布し、これを焼成したことを特徴とする請求項１記載のセラミック部材を備えた鋲。
【請求項４】
セラミック部材の上面にフリットにてガラス層を形成したものをスプレーガンなどを用いて均一に塗布し、そしてこの上に無機質骨材を点在するとともに、同じくフリットにてガラス層を形成したものを塗布して表面を凹凸化し、これを焼成したことを特徴とする請求項１記載のセラミック部材を備えた鋲。
【請求項５】
歩道等の表面、または歩道板の表面に取り付けられる鋲において、鋲は頭部と脚からなり、頭部の上面外周はなだらかなテーパー面を有すと共に中央には凹部を形成し、そして凹部にはセラミック部材を嵌めこんだものであり、このセラミック部材の上面にはフリットにてガラス層を形成したものをスプレーガンなどを用いて均一に塗布し、そしてこの上に無機質骨材を点在するとともに、同じくフリットにてガラス層を形成したものを塗布して表面を凹凸化し、これを焼成したことを特徴とする請求項1記載のセラミック部材を備えた鋲。